(57)【特許請求の範囲】
【請求項１】
空気を送風する電動送風機と、挿入された手を乾燥する乾燥室と、乾燥室の内面に配置した電動送風機の送風気流を噴出する噴出孔とを備え、壁面によって反射された音波が干渉して、特定の箇所で強め合い、定在波を発生することがないように前記乾燥室での気流音の反射方向が多様なものとなるようにした手乾燥装置。
【請求項２】
空気を送風する電動送風機と、挿入された手を乾燥する乾燥室と、乾燥室の内面に配置した電動送風機の送風気流を噴出する噴出孔とを備え、壁面によって反射された音波が干渉して、特定の箇所で強め合い、定在波を発生することがないように前記乾燥室の壁面に凹曲面を設けずに気流音の反射方向が多様なものとなるようにした手乾燥装置。
【請求項３】
空気を送風する電動送風機と、挿入された手を乾燥する乾燥室と、乾燥室の内面に配置した電動送風機の送風気流を噴出する噴出孔とを備え、前記乾燥室の壁面に緩やかな凸曲面を有し、凹曲面を設けず、音が放射状に広がるものとなるようにした手乾燥装置。
【発明の詳細な説明】
【０００１】
【発明の属する技術分野】
本発明は、洗面所やトイレ・キッチン等で使用する、水で手を洗った後手を乾かすために用いる手乾燥装置に関するものである。
【０００２】
【従来の技術】
従来より、水洗等によって濡れた手をタオルやハンカチを使用して拭く代わりに、送風された温風に手をかざすことによって手を乾燥する手乾燥装置が実用化されている。例えばヘヤドライヤとしても使用できるもの、また水滴の飛散を防止できる構成となっているもの、あるいは紫外線による殺菌等の付加機能を備えているものや、送風空気を環流させたり、送風ファンブレードを発熱体で構成したりして加熱効率を向上させているものも開発されている。
【０００３】
【発明が解決しようとする課題】
しかし前記従来の温風式の手乾燥装置は、乾燥完了までに約２０秒〜１分の時間を必要としており、使い勝手が悪いものである。そこで発明者らは、高速噴流によって手をの水滴を吹き飛ばす構成の手乾燥装置を提案している。この構成の手乾燥装置は、短時間で手を乾燥でき、使い勝手の良いものである。しかしこの構成のものは、防音構成が不十分であり、騒音が大きいという課題を有しているものである。
【０００４】
【課題を解決するための手段】
前記従来の構成が有している課題を解決するために本発明は、乾燥室の壁面の形状を工夫して、噴流による反響音等を減少させて、騒音の小さい手乾燥装置としている。
【０００５】
【発明の実施の形態】
請求項１に記載した発明は、乾燥室を複数の互いに平行でない壁面で構成して、壁面によって反射された音波が干渉して、特定の箇所で強め合い、定在波を発生することがないように気流が壁面に接触したときに生ずる摩擦音等の反射方向を多様とし、干渉によって定在波が生じたりすることが無く、騒音を低減できる手乾燥装置としている。
請求項２に記載した発明は、壁面によって反射された音波が干渉して、特定の箇所で強め合い、定在波を発生することがないように乾燥室の壁面に凹曲面を設けず、また気流音の反射方向が多様なものとなるようにし、反響音が大きくしないようにするとともに干渉によって定在波が生じたりすることが無く、騒音を低減できる手乾燥装置としている。
【０００６】
請求項３に記載した発明は、乾燥室の壁面は、凹曲面を設けず、緩やかな凸曲面によって構成して、摩擦音を放射状に拡散し減衰を促して、騒音を低減できる手乾燥装置としている。
【０００８】
【実施例】
以下、本発明の実施例について説明する。図１は本実施例の手乾燥装置を正面から見た正面図である。また図２は、図１のＡ−Ａでの断面図である。
【０００９】
電動送風機１が送風する気流は循環流路８を通って噴出孔５に導かれ、噴出孔５から高速の噴流となって乾燥室４に吹き出される。噴出孔５は乾燥室４の上下に列状に配置した小径の複数個の孔によって構成しており、各孔は図２に示しているように乾燥室４の奥側を向いている。噴出孔５から噴出した気流は、図３に示しているように乾燥室４の奥に設けている吸気口９から循環流路８を通って、再び電動送風機１に吸い込まれる。つまり、電動送風機１が送風する気流は、電動送風機１と乾燥室４との間を循環するものである。このとき、噴出孔５から噴出される気流は、乾燥室４を構成する壁面に接触・衝突して、壁面との間で摩擦音を発生するものである。
【００１０】
そこで本実施例では、図３に示しているように、乾燥室４を構成する複数の壁面ａ１・ａ２・ａ３・ａ４・ａ５・ａ６を互いに平行な関係を有していないものとしている。この構成とすることによって、乾燥室４の内部で発生する気流音や、気流が壁面に接触する際に発生する摩擦音等の反射方向が、多様なものとなる。このため、壁面ａ１・ａ２・ａ３・ａ４・ａ５・ａ６によって反射された音波が干渉して、特定の箇所で強め合ったりするような現象は生じないものである。つまり、定在波が発生したりするようなことはないものである。従って本実施例によれば、騒音を低く抑えた手乾燥装置を実現できるものである。
【００１１】
また乾燥室４の壁面を図４に示すような凸曲面とした構成としても、騒音を低く抑えることが出来るものである。つまり、複数の壁面ｂ１・ｂ２・ｂ３・ｂ４・ｂ５・ｂ６は、凸曲面となっている。このため、乾燥室４の内部で発生する音や、気流が壁面に接触したときに生ずる摩擦音は、壁面で反射されたときに放射状に広がるものである。従って、この壁面によって反射された音は減衰し、騒音を低く抑えることが出来るものである。
【００１２】
なおこのとき、壁面ｂ１・ｂ２・ｂ３・ｂ４・ｂ５・ｂ６を凹曲面とした場合には、乾燥室４全体が太鼓の胴のようになって反響音が大きくなり、逆効果となるものである。また凸曲面とした壁面ｂ１・ｂ２・ｂ３・ｂ４・ｂ５・ｂ６の形状や個数については、反射音を放射状に拡散する効果さえ有しておればよいもので、特に限定する必要はないものである。
【００１３】
参考例として、乾燥室４の壁面を図５・図６に示すように構成しても、騒音を低く抑えることが出来るものである。図５は乾燥室４の構成を示す断面図であり、図６は図５のＢ−Ｂ断面図である。図５に示している壁面ｃ１・ｃ２と、図６に示している壁面ｃ３とは、吸気口９に向かって傾斜しているものである。この構成とすることによって、乾燥室４から吸気口９に向かう気流は、断面積の大きい空間から徐々に断面積の小さい空間に向かって徐々に絞られるものである。つまり、吸気口９に向かう気流は整流されるものである。従って、気流の乱れが生ずることがないため、騒音を低く抑えることが出来るものである。
【００１４】
なおこの場合、吸気口９の位置については特に限定する必要はないが、循環流路８を通しての音の漏れを考慮すると、電動送風機１から遠い方が効果的である。またこの構成とした場合には、乾燥室４内の気流が滑らかに吸気口９内に吸い込まれるため、挿入した手の水滴の剥離方向が安定し、乾燥時間の短縮にも効果的に作用する。
【００１５】
【発明の効果】
請求項１に記載した発明は、空気を送風する電動送風機と、挿入された手を乾燥する乾燥室と、乾燥室の内面に配置した電動送風機の送風気流を噴出する噴出孔とを備え、前記乾燥室を複数の互いに平行でない平面で構成して、壁面によって反射された音波が干渉して、特定の箇所で強め合い、定在波を発生することがないように気流が壁面に接触したときに生ずる摩擦音等の反射方向を多様なものとし、干渉によって定在波が生じたりすることが無く、騒音を低減できる手乾燥装置を実現するものである。
請求項２に記載した発明は、空気を送風する電動送風機と、挿入された手を乾燥する乾燥室と、乾燥室の内面に配置した電動送風機の送風気流を噴出する噴出孔とを備え、乾燥室の壁面に凹曲面を設けず、また前記乾燥室を複数の互いに平行でない平面で構成して、壁面によって反射された音波が干渉して、特定の箇所で強め合い、定在波を発生することがないように気流が壁面に接触したときに生ずる摩擦音等の反射方向を多様なものとし、干渉によって定在波が生じたりすることが無く、騒音を低減できる手乾燥装置を実現するものである。
【００１６】
請求項３に記載した発明は、空気を送風する電動送風機と、挿入された手を乾燥する乾燥室と、乾燥室の内面に配置した電動送風機の送風気流を噴出する噴出孔とを備え、前記乾燥室は、凹曲面を設けず、複数の緩やかな凸曲面によって構成して、摩擦音を放射状に拡散し減衰を促して、騒音を低減できる手乾燥装置を実現するものである。
【図面の簡単な説明】
【図１】  本発明の実施例を示す手乾燥装置の構成を示す正面図
【図２】  同、図１のＡ−Ａ断面を示す断面図
【図３】  同、乾燥室の内部の構成を示す断面図
【図４】  同、乾燥室の内部の構成を示す断面図
【図５】  参考例の乾燥室の内部の構成を示す断面図
【図６】  参考例の図５のＢ−Ｂ断面を示す断面図
【符号の説明】
１  電動送風機
４  乾燥室
５  噴出孔
６ａ  気流の通路
６ｂ  気流の通路
８  循環流路
９  吸気口
ａ１〜ａ６  壁面
ｂ１〜ｂ６  壁面
ｃ１〜ｃ３  壁面
【図１】
0003896628.tif 000002
【図２】
0003896628.tif 000003
【図３】
0003896628.tif 000004
【図４】
0003896628.tif 000005
【図５】
0003896628.tif 000006
【図６】
0003896628.tif 000007